【手続補正書】
【提出日】平成22年7月14日(2010.7.14)
【手続補正１】
【補正対象書類名】明細書
【補正対象項目名】特許請求の範囲
【補正方法】変更
【補正の内容】
【特許請求の範囲】
【請求項１】
人間の生理学的情報をモニターし報告する装置であって、
個人の体に近接配置されるように構成されたセンサー装置ハウジングと、
センサー装置ハウジングにより支持され、生理学的センサー及びコンテキストセンサーより成る群から選択される少なくとも2つのセンサーと電気通信関係にあるプロセッサーと、
プロセッサーと電気通信関係にあって情報を個人へ提供する手段とより成り、
前記少なくとも2つのセンサーの少なくとも１つは生理学的センサーであり、前記少なくとも2つのセンサーは個人の生理学的パラメータである少なくとも第１のパラメータと、個人の第２のパラメータを示すデータとを発生するように構成されており、前記プロセッサーは少なくとも第１のパラメータを示すデータの少なくとも一部及び少なくとも第２のパラメータを示すデータの少なくとも一部から生理学的状態情報を導出するように構成されている、人間の生理学的情報をモニターし報告する装置。
【請求項２】
少なくとも2つのセンサーのうちの少なくとも２つは生理学的センサーであり、第２のパラメータは生理学的パラメータである請求項１の装置。
【請求項３】
センサー装置ハウジングから離れたところにあり、データ記憶装置を含み、プロセッサーから前記導出データを受けてデータ記憶装置に取り出し自在に記憶する中央モニターユニットと、
前記導出データを中央モニターユニットから受け手に送信する手段とをさらに具備する請求項１または２の装置。
【請求項４】
前記中央モニターユニットは前記導出データから分析状態データを発生するように構成され、前記送信手段は前記分析状態データを受け手に送信する請求項３の装置。
【請求項５】
前記導出データをセンサー装置から中央モニターユニットへ転送する手段をさらに具備する請求項３または４の装置。
【請求項６】
前記センサー装置ハウジングにより支持された再充電可能電池と、プロセッサーと電気
通信関係にある第１の無線トランシーバーとをさらに具備し、前記センサー装置ハウジングは再充電可能電池を充電するための電池再充電ユニット内に配置されるように構成され、電池再充電ユニットはさらに第２の無線トランシーバーを備え、第１及び第２の無線トランシーバーは互いに通信関係にあって、前記転送手段の少なくとも一部を形成する請求項５の装置。
【請求項７】
前記中央モニターユニットは、前記導出データを含む１またはそれ以上のウェブページを発生し、前記送信手段はウェブページをインターネット上で受け手によるアクセスが可能にする請求項3乃至６のうち任意の一項の装置。
【請求項８】
前記少なくとも2つのセンサーは、心拍数センサー、脈搏数センサー、ＥＫＧセンサー、呼吸数センサー、皮膚温度センサー、中心部体温センサー、体からの熱流センサー、ＧＳＲセンサー、ＥＭＧセンサー、ＥＥＧセンサー、血圧センサー、体インピーダンスセンサー、運動センサー、酸素消費量センサー、グルコースレベルセンサー、体位センサー、筋肉圧センサー及び紫外線吸収センサーより成る群から選択される前記請求項のうち任意の一項の装置。
【請求項９】
前記少なくとも2つのセンサーは、運動を示すデータを発生する運動センサー、電流に対する個人の皮膚の抵抗を示すデータを発生するＧＳＲセンサー、熱流を示すデータを発生する熱束センサー、個人の皮膚の温度を示すデータを発生する皮膚温度センサー、個人の心拍数を示すデータを発生する心拍数センサーより成る群から選択され、少なくとも第１及び第２の生理学的パラメータを示す前記データは運動を示すデータ、個人の皮膚の抵抗を示すデータ、熱流を示すデータ、個人の皮膚の温度を示すデータ、個人の心拍数を示すデータのうちの少なくとも２つより成る請求項1乃至７のうち任意の一項の装置。
【請求項１０】
運動センサーは加速度計、体位センサー及びＧＰＳセンサーより成る群から選択される請求項8または9の装置。
【請求項１１】
前記導出データは、消費カロリーデータであり、運動を示すデータと熱流を示すデータのうちの少なくとも１つに基づく請求項8乃至１０のうち任意の一項の装置。
【請求項１２】
前記導出データは、電流に対する個人の皮膚の抵抗を示すデータにも基づく請求項１１の装置。
【請求項１３】
前記プロセッサーと電気通信関係にある１またはそれ以上のコンテキストセンサーをさらに具備し、１またはそれ以上のコンテキストセンサーは個人に関連する１またはそれ以上のコンテキストパラメータを示すデータを発生し、前記導出データは１またはそれ以上のコンテキストパラメータを示すデータの選択された部分から発生される前記請求項のうち任意の一項の装置。
【請求項１４】
前記１またはそれ以上のコンテキストセンサーは周囲温度センサーであり、１またはそれ以上のコンテキストパラメータを示す前記データは周囲温度である請求項１３の装置。
【請求項１５】
個人の生活活動データを取得する手段をさらに具備し、前記生活活動データは前記データ記憶装置に取り出し自在に記憶され、前記分析状態データも前記生活活動データの選択部分から発生される請求項3乃至７または8乃至１４のうち任意の一項の装置。
【請求項１６】
データを取得する前記手段は、個人が生活活動データを入力しそのデータを中央モニターユニットへ送信するのを可能にする手段より成る請求項１５の装置。
【請求項１７】
前記中央モニターユニットは、個人が推奨される日課に従う度合いに関するフィードバックを発生し、それを受け手に提供するように構成されており、フィードバックは、少なくとも第１のパラメータ、第２のパラメータ、前記導出データ及び前記生活活動データを示すデータの少なくとも一部から発生される請求項１５または１６の装置。
【請求項１８】
前記日課は1又はそれ以上のカテゴリーより成り、前記フィードバックは1又はそれ以上のカテゴリー毎に発生され、提供される請求項１７の装置。
【請求項１９】
前記1又はそれ以上のカテゴリーは、栄養、活動レベル、精神集中、睡眠及び毎日の活動のうちの少なくとも１つを含む請求項１８の装置。
【請求項２０】
前記栄養カテゴリーはカロリー摂取量、たんぱく質摂取量、脂肪摂取量、炭水化物摂取量、ビタミン摂取量、水摂取量、繊維摂取量、摂取した食物の種類及び摂取した食物の量のうちの１またはそれ以上に関する情報を含む請求項１８の装置。
【請求項２１】
前記活動レベルカテゴリーはカロリー実消費量、カロリー消費量目標値、運動継続時間、活発な生活活動の継続時間、休息の継続時間及び睡眠時間のうちの１またはそれ以上に関する情報を含む請求項１9または２０の装置。
【請求項２２】
前記精神集中カテゴリーは弛緩活動継続時間、弛緩活動の質、ストレスレベル、及び皮膚温度、心拍数、呼吸数、熱流及びＧＳＲのうちの1又はそれ以上の変化に関する情報を含む請求項１9乃至２１の装置。
【請求項２３】
前記睡眠カテゴリーは入眠時間及び起床時間、睡眠中断及び睡眠の量及び深さに関する情報を含む請求項１9乃至２２の装置。
【請求項２４】
前記毎日の活動カテゴリーは入浴習慣、歯科衛生習慣、便通習慣、服用習慣、ビタミンまたはサプリメント摂取習慣、喫煙習慣、飲酒習慣、家族または友人と共に過ごす習慣、レジャーに費やす時間、家庭の雑事を行う習慣、請求書支払いの習慣、仕事や約束に遅れない習慣に関する情報を含む請求項１9乃至２３の装置。
【請求項２５】
前記中央モニターユニットは、前記フィードバックを含む１またはそれ以上のウェブページを発生するように構成されており、前記ウェブページはインターネットを介してアクセス可能である請求項1７乃至２４のうち任意の一項の装置。
【請求項２６】
前記中央モニターユニットは、前記個人の健康及びライフスタイルの少なくとも1つの局面の管理に関するフィードバックを発生し受け手に提供するように構成されている請求項3乃至7又は8乃至１４のうち任意の一項の装置。
【請求項２７】
前記フィードバックは少なくとも第１のパラメータ、第２のパラメータ及び前記導出データを示す前記データの少なくとも一部から発生される請求項２６の装置。
【請求項２８】
前記中央モニターユニットは、前記個人の健康及びライフスタイルの少なくとも1つの局面の管理に関するフィードバックを発生し受け手に提供するように構成されている請求項１５乃至２７のうち任意の一項の装置。
【請求項２９】
前記フィードバックは少なくとも第１のパラメータ、第２のパラメータ、前記導出データ及び前記生活活動を示す前記データの少なくとも一部から発生される請求項２６の装置。
【請求項３０】
個人の健康及びライフスタイルの少なくとも1つの前記局面は個人の薬の服用に関連がある請求項２６乃至２９のうち任意の一項の装置。
【請求項３１】
個人の健康及びライフスタイルの少なくとも1つの前記局面は個人の心拍数に関連がある請求項２６乃至３０のうち任意の一項の装置。
【請求項３２】
個人の健康及びライフスタイルの少なくとも1つの前記局面は個人の消化レベルに関連がある請求項２６乃至３１のうち任意の一項の装置。
【請求項３３】
個人の健康及びライフスタイルの少なくとも1つの前記局面は個人の活動レベルに関連がある請求項２６乃至３２のうち任意の一項の装置。
【請求項３４】
前記フィードバックは個人のカロリー実消費量、カロリー消費量目標値、非休息活動継続時間、休息継続時間及び体位のうちの１またはそれ以上に関する情報を含む請求項３３の装置。
【請求項３５】
個人の健康及びライフスタイルの少なくとも1つの前記局面は個人の体重に関連がある請求項２６乃至３４のうち任意の一項の装置。
【請求項３６】
前記フィードバックは個人の前記栄養カテゴリーはカロリー摂取量、たんぱく質摂取量、脂肪摂取量、炭水化物摂取量、ビタミン摂取量、水摂取量、繊維摂取量、摂取した食物の種類、摂取した食物の量、カロリー実消費量、カロリー消費量目標値、運動継続時間、活発な生活活動の継続時間、休息の継続時間及び睡眠時間のうちの１またはそれ以上に関する情報を含む請求項３５の装置。
【請求項３７】
前記フィードバックはカロリー燃焼率に関する情報を含む請求項３５の装置。
【請求項３８】
個人の健康及びライフスタイルの少なくとも1つの前記局面は個人の睡眠活動に関連がある請求項２６乃至３７のうち任意の一項の装置。
【請求項３９】
前記フィードバックは入眠時間及び起床時間、睡眠中断及び睡眠の量及び深さに関する情報を含む請求項３８の装置。
【請求項４０】
個人の健康及びライフスタイルの少なくとも1つの前記局面は個人のグルコースレベルに関連がある請求項２６乃至３９のうち任意の一項の装置。
【請求項４１】
個人の健康及びライフスタイルの少なくとも1つの前記局面は個人のフィットネスレベルに関連がある請求項２６乃至４０のうち任意の一項の装置。
【請求項４２】
前記中央モニターユニットは電子ネットワークに接続され、該電子ネットワークを介して第三者ソースにアクセスし、前記フィードバックは第三者ソースからの前記情報を含む請求項２６乃至４１のうち任意の一項の装置。
【請求項４３】
前記中央モニターユニットは電子ネットワークに接続され、該電子ネットワークを介して第三者ソースにアクセスし、前記中央モニターユニットは第三者ソースからの前記情報を受け手が利用可能にする請求項３乃至7または8乃至１４のうち任意の一項の装置。
【請求項４４】
前記フィードバックは個人の振舞いを変えさせるアドバイスを含む請求項２６乃至４３の装置。
【請求項４５】
前記プロセッサーと電気通信関係にあって第１のパラメータ示す前記データ、第２のパラメータ示す前記データ及び前記導出データの少なくとも１つを記憶するメモリーをさらに具備する前記請求項のうち任意の一項の装置。
【請求項４６】
センサー装置ハウジングを指示する可撓性本体をさらに具備し、前記可撓性本体は個人の体の一部に巻き付けられるようになっている第１及び第２の部材を有する前記請求項のうち任意の一項の装置。
【請求項４７】
前記可撓性本体に結合されて前記ンサー装置ハウジングと個人の体との間の接触関係を維持するための巻き付け手段をさらに具備する請求項４６の装置。
【請求項４８】
前記可撓性本体は前記少なくとも２つのセンサーのうちの少なくとも１つを支持する請求項４６または４７の装置。
【請求項４９】
前記可撓性本体に結合されて前記ンサー装置ハウジングと個人の体との間の接触関係を維持するための巻き付け手段をさらに具備する請求項1乃至４６の装置。
【請求項５０】
前記可撓性本体は前記少なくとも２つのセンサーうちの少なくとも１つを支持する請求項４７または４９の装置。
【請求項５１】
前記センサー装置ハウジングは前記少なくとも２つのセンサーのうちの少なくとも１つを支持する請求項４７または４９の装置。
【請求項５２】
前記センサー装置ハウジングは前記少なくとも２つのセンサーを支持する請求項１または４５の装置。
【請求項５３】
前記少なくとも２つのセンサーのうちの少なくとも１つは前記センサー装置ハウジングから分離した配置される請求項１または５１の装置。
【請求項５４】
前記プロセッサーと電気通信関係にある無線通信装置をさらに具備し、前記分離して配置されたセンサーは第１のパラメータ示す前記データ発生し、第１のパラメータ示す前記データは無線通信装置から受信する請求項５３の装置。
【請求項５５】
前記プロセッサーと電気通信関係にあって無線装置からデータを受信する無線受信装置をさらに具備する前記請求項のうち任意の一項の装置。
【請求項５６】
前記無線装置は心拍数モニターより成り、前記無線装置から受信する前記データは個人の心拍数を示すデータであり、前記導出データもデータを心拍数を示す前記データの少なくとも一部から発生される請求項５５の装置。
【請求項５７】
前記センサー装置ハウジングとは別個の電子装置をさらに具備し、前記電子装置は前記プロセッサーと電気通信関係にある請求項１または５７の装置。
【請求項５８】
前記プロセッサーと電気通信関係にある無線受信装置をさらに具備し、前記電子装置は前記無線受信装置と電気通信関係にある請求項５７の装置。
【請求項５９】
前記導出データはカロリー燃焼量、入眠時間及び起床時間、ストレスレベル及び弛緩レベルのうちの少なくとも１つに関するデータである前記請求項のうち任意の一項の装置。